(57)【特許請求の範囲】
【請求項１】
（Ａ）下記一般式で表されるアシルイセチオン酸ナトリウム１５〜５０質量％と
（Ｂ）１２−ヒドロキシステアリン酸５〜１５質量％と
（Ｃ）ポリオキシエチレン硬化ヒマシ油８〜１４質量％を含み、（Ｃ）成分のオキシエチレン基の平均付加モル数が、３０〜１００であることを特徴とする枠練り固形石鹸。
0005919578.tif 000013
（式中、Ｒは炭素数８〜１８のアルキル基、ｍは０、Ｘ及びＹは水素または炭素数１〜４のアルキル基、Ｍ＋がナトリウムである。
【請求項２】
請求項１に記載の組成物において、（Ｄ）ｐH調整剤を含み、ｐＨが４．０〜７．０の弱酸性〜中性であることを特徴とする枠練り固形石鹸。
【請求項３】
請求項１に記載の組成物において、（Ｄ）ｐＨ調整剤を含み、ｐＨが４．５〜６．０の弱酸性であることを特徴とする枠練り固形石鹸。
【請求項４】
請求項１〜３のいずれかに記載の組成物において、保湿剤を含み、保湿剤の配合量が枠練り石鹸全量中１５〜３０質量％であることを特徴とする枠練り固形石鹸。
【請求項５】
請求項１〜４のいずれかに記載の石鹸において、常温で液体の保湿剤の配合量は、５質量％以下であることを特徴とする枠練り固形石鹸。
【発明の詳細な説明】
【技術分野】
【０００１】
本発明は、枠練り固形石鹸、特にアシルイセチオン酸ナトリウムを主成分とする枠練り固形石鹸の改良に関する。
【背景技術】
【０００２】
中性〜弱酸性固形石鹸としては、アシルイセチオン酸塩（主としてココイルイセチオン酸ナトリウム）やアシルグルタミン酸塩（主としてココイルグルタミン酸ナトリウム）を主基剤とするシンデットバー（Synthetic  Detergent  Bar）が製品化されており、殆どのものが、混練り、プロッダー押出し、型打ちという機械練り方式で、生産されている。
アシルイセチオン酸塩を主基剤とする固形石鹸は、耐硬水性が良好であること、使用感がさっぱりしていることが知られていた。
これらの機械練り方式では、アシルイセチオン酸ナトリウムを主基剤とする界面活性剤類を固化し、固形石鹸を得られることが知られていた（特許文献１，２，３）。
一方で、枠練り方式で、アシルイセチオン酸ナトリウムを主基剤とする石鹸を固化しても、型くずれし易く、サクサクとした石鹸しか得ることができず、枠練り方式で、良好な固形石鹸を生産することは、技術的に困難であった。
そこで、１２−ヒドロキシステアリン酸を配合することで、枠練り方式でも、アシルイセチオネートを主基剤とする石鹸を固化することができることが知られていた（特許文献４）。但し、特許文献４で用いているアシルイセチオネートは下記に示す一般式におけるmが１〜４であり、本発明で用いるmが０のものとは異なっている。
また、これにより得られた固形石鹸は、上記問題点を解決するために、液体皮膚緩和剤（保湿剤、油分）を多く含むため、べたついたり、泡立ちが悪いという問題点が生じていた。
【先行技術文献】
【特許文献】
【０００３】
【特許文献１】特開平７−３４１００号公報
【特許文献２】特表２０１０−５４０７３５号公報
【特許文献３】特開平８−２０９１９８号公報
【特許文献４】特表２００４−５２３６０９号公報
【発明の概要】
【発明が解決しようとする課題】
【０００４】
本発明は前記従来技術に鑑み行われたものであり、その解決すべき課題は、上記問題を解決しつつ、枠練り方式であっても、中性〜弱酸性条件下での泡立ちが良く、使用感がさっぱりしていて、安全性が高く、べたつきが少なく、粘りと硬さに優れた枠練りイセチオン酸系固形石鹸を提供することにある。
【課題を解決するための手段】
【０００５】
本発明者らが前述の課題を解決すべく鋭意研究を行った結果、（Ａ）アシルイセチオン酸ナトリウムと（Ｂ）１２−ヒドロキシステアリン酸に加えて、（Ｃ）ポリオキシエチレン硬化ヒマシ油非イオン性界面活性剤を配合することで、型くずれしにくく、サクサク感がなく、べたつきが少なく、粘りと硬さ、いわゆる粘結性に優れ、起泡力の良好な枠練り固形石鹸を得ることができることを見出し、本発明を完成するに至った。
【０００６】
すなわち、本発明にかかる枠練り固形石鹸は、
Ａ）下記一般式で表されるアシルイセチオン酸ナトリウム１５〜５０質量％と
（Ｂ）１２−ヒドロキシステアリン酸５〜１５質量％と
（Ｃ）ポリオキシエチレン硬化ヒマシ油８〜１４質量％を含み、（Ｃ）成分のオキシエチレン基の平均付加モル数が、３０〜１００が必須の構成であることを特徴とする。
0005919578.tif 000002
（式中、Ｒは炭素数８〜１８のアルキル基、ｍは０、Ｘ及びＹは水素または炭素数１〜４のアルキル基、Ｍ＋がナトリウムである。
前記組成物において、（Ｄ）ｐH調整剤を含み、ｐＨが４．０〜７．０の弱酸性〜中性であると、肌への刺激を軽減できる点でより優れている。
前記組成物において、（Ｄ）ｐH調整剤を含み、ｐＨがｐＨが４．５〜６．０の弱酸性〜中性であると、肌への刺激をさらに軽減できる点でより優れている。
前記組成物において保湿剤を含み、保湿剤の配合量が枠練り石鹸全量中１５〜３０質量％であると、粘結性に優れている点でより優れている。
前記組成物において、常温で液体の保湿剤の配合量は、５質量％以下であると、より優れている。
【発明の効果】
【０００７】
本発明によれば、べたつきが少なく、起泡力が高く、粘りと硬さに優れた枠練りイセチオン酸系固形石鹸を得ることができる。
【発明を実施するための形態】
【０００８】
（Ａ）アニオン性界面活性剤
本発明に用いるアニオン性界面活性剤は、アシルイセチオン酸系界面活性剤を必須とする。
アシルイセチオン酸系界面活性剤の配合量は、１５〜５０質量％であると、起泡力、洗浄性の点で好ましい。１５質量％未満であると、起泡力や洗浄性が悪くなるという点で好ましくない。また、５０質量％を超えると、脱脂力が強くなりすぎるという点で好ましくない。
【０００９】
アシルイセチオン酸系界面活性剤は、以下の一般式で表される。
【００１０】
【化１】
0005919578.tif 000003
【００１１】
式中、Ｒは炭素数８〜１８のアルキル基、ｍは０〜４の整数、Ｘ及びＹは水素または炭素数１〜４のアルキル基、Ｍ＋は例えばナトリウム、カリウムまたはアンモニウムのような１価のカチオンである。
これらのＭ＋のうち、好ましいのは、泡立ちの点で、アルカリ金属及び低級アルカノールアミンカチオンであり、特に好ましいのは、硬度安定性（膨潤度安定性）の点で、ナトリウムである。
特に、これらのうち、本発明では、Xが水素、mが０、Ｍ＋がナトリウムのもの（アシルイセチオン酸ナトリウム）をアシルイセチオン酸系界面活性剤として用いる。さらに、アシルイセチオン酸ナトリウムは、弱酸性条件下（ｐH＝４．５〜６．５）でも、温度２５℃における起泡力が優れている点で好ましい。また、アシルイセチオン酸ナトリウムを主基剤とした洗浄剤は、使用感がさっぱりしていて、安全性も高い点で優れている。
【００１２】
アシルイセチオン酸ナトリウムとしては、市販品では、ジョーダポンCIP；BASFジャパン社製等が挙げられる。
【００１３】
本発明の効果を損なわない範囲において、その他に、１又は２以上のアニオン性界面活性剤を含むことができる。
その他のアニオン性界面活性剤としては、アルキルスルフォネート、アルキルサルフェート、アルキルエーテルサルフェート、アシルグリシネート、アシルアラニネート、アシルグルタミネート、アシルメチルタウレート、アルキルスルフォサクシネート、脂肪酸石鹸等が挙げられる。その中でも、中性〜弱酸性条件下での安定性が高く、起泡力が良く、安全性が高い点から、アシルグリシネート、アシルアラニネート、アシルグルタミネート、アシルメチルタウレート等が好ましく用いられる。
【００１４】
（Ｂ）１２−ヒドロキシステアリン酸
本発明に用いる１２−ヒドロキシステアリン酸は、アシルイセチオン酸系枠練り固形石鹸の固化剤として用いられる。配合量が、５〜１５質量％であると、硬度が上昇し固化する点で好ましく、さらに、８．５〜１０質量％であると、十分な硬度が得られ起泡力も損なわない点で、より好ましい。５質量％未満であると、十分な硬度が得られない点で好ましくない。また、１５質量％を超えると、起泡力を阻害する点で好ましくない。
【００１５】
１２−ヒドロキシステアリン酸としては、市販品では、１２−ヒドロキシステアリン酸；KFトレーディング社製等が挙げられる。
【００１６】
（Ｃ）ポリオキシエチレン硬化ヒマシ油非イオン性界面活性剤
ポリオキシエチレン硬化ヒマシ油は、起泡力を阻害しない粘結固化剤として用いられる。粘結固化剤により、枠練り固形石鹸は粘結性が得られる。粘結性を有する枠練り固形石鹸は、粘りと硬さを有し、サクサク感のない石鹸を表す。サクサク感を有する石鹸は、一般に、型くずれを生じさせ、石鹸を素地棒として取り出し、切断することが必須である枠練り方式の固形石鹸には不適合となってしまう。
【００１７】
ポリオキシエチレン硬化ヒマシ油は、硬化ヒマシ油にオキシエチレン基を付加することによって得られる。オキシエチレン基の平均付加モル数は、粘結性の点から、好ましくは３０〜１００、より好ましくは３０〜６０である。具体的には、ポリオキシエチレン（２０モル）硬化ヒマシ油、ポリオキシエチレン（３０モル）硬化ヒマシ油、ポリオキシエチレン（４０モル）硬化ヒマシ油、ポリオキシエチレン（６０モル）硬化ヒマシ油、ポリオキシエチレン（８０モル）硬化ヒマシ油、ポリオキシエチレン（１００モル）硬化ヒマシ油が挙げられる。これらの成分は、単独で使用するか、又は２種以上を適宜に組み合わせて使用してもよい。
【００１８】
ポリオキシエチレン硬化ヒマシ油の配合量は１〜２０質量％であると、粘結性を有する固形石鹸を得ることができる。より好ましくは、４質量％以上である。１５質量％以上では、起泡力がやや悪くなる傾向がある。さらに、配合量が、１５質量％以上であると、石鹸の中に目立つ白色の結晶が析出してしまう傾向がある。
【００１９】
ポリオキシエチレン硬化ヒマシ油としては、市販品では、ニッコールHCO類；日本サーファクタント工業社製、エマレックスHC類；日本エマルジョン社製等が挙げられる。
【００２０】
（Ｄ）ｐＨ調整剤
脂肪酸石鹸は、通常、ｐＨが、９．０〜１０．５のアルカリ性を示す。しかし、通常、肌のｐＨは５．５前後であり、ｐＨが９．０〜１０．５を示すアルカリ性の脂肪酸石鹸で肌を洗浄すると、洗浄後アルカリ性に傾いた肌のｐＨが洗浄前の弱酸性のｐＨまで回復するのに時間を要する。その為、アルカリ性の脂肪酸石鹸は肌にストレスを与えるリスクがあるといえる。
それに対して、ｐＨが７．０〜４．０の中性〜弱酸性石鹸は、比較的肌と近いｐＨを示すので、肌の洗浄においてｐＨの影響が小さく、肌への刺激も少ないので、肌の洗浄に好ましいものと考えられている。
【００２１】
このため、上記必須成分に加えて、肌への刺激を減らすために、ｐＨ調整剤を用いることが好ましい。これによりｐＨを下げて、イセチオン酸系石鹸を中性〜弱酸性石鹸とすることができる。
本発明の枠練り固形石鹸に配合するｐＨ調整剤としては、特に限定されないが好ましくは乳酸、クエン酸、リン酸、リンゴ酸、及びこれらの塩などが例示される。ｐＨ調整剤はそれぞれ単独でも、又は二種以上を併用して用いても良い。
【００２２】
ｐＨ調整剤は、石鹸のｐＨを４．０〜７．０程度の適度な弱酸性〜中性のｐＨを保つために必要な配合量が求められる。具体的には、石鹸全量に対し、０．０１〜１．５質量％配合することが好ましい。
【００２３】
すなわち、本発明にかかる枠練り固形石鹸は、ｐＨを４．０〜７．０であることが好ましい。また、ｐＨが４．５〜６．０であることがより好ましく、５．０〜６．０であることが特に好ましい。枠練り固形石鹸を弱酸性に保つことで、肌への刺激をより軽減できる。
石鹸のｐＨが４．５未満となると、石鹸中に目立つ白色の結晶が析出してしまう場合がある。
【００２４】
また、本発明の枠練り石鹸に両性界面活性剤を配合することが好ましい。両性界面活性剤を配合することで、さらに起泡力の優れた枠練り石鹸を実現することができる。また刺激性を低下させることができる。両性界面活性剤としては、ラウリルジメチルアミノ酢酸ベタイン、ヤシ油脂肪酸ジメチルアミノ酢酸ベタイン等のアルキルベタイン型両性界面活性剤、ヤシ油脂肪酸アミドプロピルベタイン、パーム油脂肪酸アミドプロピルベタイン、ラウリン酸アミドプロピルベタイン、リシノレイン酸アミドプロピルベタイン等の脂肪酸アミドプロピルベタイン型両性界面活性剤、ラウリルイミダゾリニウムベタイン、椰子油脂肪酸イミダゾリニウムベタイン等のアルキルイミダゾリニウムベタイン型両性界面活性剤が挙げられる。
これらのうち、起泡力向上効果に優れる点で、ラウリルジメチルアミノ酢酸ベタイン、ヤシ油脂肪酸アミドプロピルベタインを用いることが好ましい。
【００２５】
両性界面活性剤としては、ラウリルジメチルアミノ酢酸ベタインとしては、市販品では、ニッサンアノンＢＬ−ＳＦ；日油社製、ヤシ油脂肪酸アミドプロピルベタインとしては、レボン２０００ＳＦ；三洋化成工業社製等が挙げられる。
【００２６】
両性界面活性剤を配合する場合の配合量は、５質量％以下が好ましい。配合量が多すぎると、固化しなくなる場合がある。
【００２７】
本発明に用いられる保湿剤としては、マルチトール、１，３−ブチレングリコール、プロピレングリコール、砂糖、ソルビトール、ポリエチレングリコール、グリセリン、ピロリドンカルボン酸、ピロリドンカルボン酸ナトリウム、ヒアルロン酸、ポリオキシエチレンアルキルグルコシドエーテル等が挙げられる。これらの保湿剤は１種または、２種以上を組み合わせて用いることもできる。ただし、本発明では、硬度を維持し、べたつきを低減させるため、常温で液状の保湿剤は５質量％以下で用いる。
【００２８】
本発明において、前記以外の添加剤として、上記した作用を損なわない範囲内で、次のような成分を任意に配合することができる。この任意成分としては、トリクロロカルバニリド、ヒノキチオール等の殺菌剤；トリメチルグリシン等の薬剤；油分；香料；色素；キレート剤；紫外線吸収剤；酸化防止剤；グリチルリチン酸ジカリウム、オオバコエキス、レシチン、サポニン、アロエ、オオバク、カミツレ等の天然抽出物；非イオン性、カチオン性あるいはアニオン性の水溶性高分子；酸化チタン等の不透明化剤；乳酸エステル等の使用性向上剤；塩化ナトリウム；水等である。
【００２９】
また、本発明にかかる枠練り固形石鹸にキレート剤を用いる場合には、ヒドロキシエタンジホスホン酸及びその塩、エデト酸塩等が好適に例示され、さらに好ましくは、ヒドロキシエタンジホスホン酸である。配合量としては、０．００１〜１．０質量％であり、さらに好ましくは０．０５〜０．５質量％である。ヒドロキシエタンジホスホン酸及びその塩の配合量が０．００１質量％より少ない場合は、キレート効果が不十分となり、経時で黄変等の不都合を生じる場合がある。１．０質量％より多いと皮膚への刺激が強くなる場合がある。
【実施例】
【００３０】
以下、具体例を挙げて本発明をさらに説明するが、本発明はこれらに限定されるものではない。試料の配合量は特に記載のない限り質量％である。なお、本発明で用いた評価方法は次の通りである。
【００３１】
粘結性は、枠練り固形石鹸における粘りと硬さを表しており、石鹸素地棒を冷却固化枠から取り出し、切断する時の型くずれや、変形のしにくさを評価した。
Ａ：粘結性に優れており、切断しても型くずれしなかった。
Ａ−：粘結性があるが、切断時に変形するものが一部認められた。
Ｂ：粘結性はややあるが、切断時に変形が認められた。
Ｃ：粘結性がなく、切断時に崩れが認められた。
【００３２】
起泡力は、ミキサー式泡立て機を用いて測定した。すなわち石鹸濃度１％水溶液４００ｍL（人口硬水７０ｐｐｍ、温度２５℃又は４０℃）を作成し、２０秒間攪拌後の泡量（ｍｌ）、及び６０秒攪拌後の泡量（ｍｌ）を測定した。
【００３３】
また、石鹸硬度とは、枠練り方式にて、枠に石鹸液を流し込み、冷却固化後、枠抜機により石鹸を取り出し、切断した際の硬度を表す。ここで、硬度は、レオメーター（アダプター２ｍｍφ）（不動工業社製）にて石鹸表面より深度１０ｍｍまで針を圧入した際の最大応力を３か所測定し、その平均値をもとに評価した。
【００３４】
外観については、目視観察で以下の評価基準に基づき評価した。
Ａ：外観が変化しなかった。
Ａ−：石鹸中にわずかな結晶が析出した。
Ｂ：石鹸中に結晶が析出した。
Ｃ：石鹸中に目立つ結晶が析出した。
Ｄ：熟成終了時に石鹸表面に糖結晶が析出した。
【００３５】
べたつきのなさについては、レオメーターにアダプター２ｍｍφを取り付け、２ｋｇ荷重、速度６ｃｍ／min、針入深度１０ｍｍの条件で、石鹸への針の挿し時と抜き時の値の比により評価した。
A：抜き／挿し＜１：べたつきが少ない
B：抜き／挿し＞１：べたつきが多い
【００３６】
上記（Ａ）〜（Ｃ）成分とその他の成分を溶解釜にて、加熱溶解させる。そして、溶解釜から、溶解した石鹸液をポンプを通じて、複数本の有底筒状冷却枠を有した冷却容器の冷却枠に注入し、冷却・固化する。そして、冷却枠より棒状石鹸（素地棒）を取り出し、切断、熟成、型打ちすることにより、枠練り固形石鹸を得た。
【００３７】
【表１】
0005919578.tif 000004
【００３８】
（＊１）：ジョーダポンＣＩＰ（BASFジャパン社製）
（＊２）：ＳＴ−ＳＦスーパー（日油社製）
ココイルメチルタウリンナトリウム３０％溶液
（＊３）：ニッコールHCO-60（日本サーファクタント工業社製）
（＊４）：ＰＥＧ−１５４０（東邦化学社製）
（＊５）：ＮＳＳ−１７（上野製薬社製）
グラニュー糖８３％とD-ソルビトール１７%の混合物
【００３９】
ＰＥＧ（６０）水添ヒマシ油を配合していない枠練り石鹸（試験例１−１）は、粘結性に劣り、石鹸は固化できず、崩壊してしまう。また、一方でＰＥＧ（６０）水添ヒマシ油を、配合した枠練り石鹸（試験例１−２）は、粘結性及び硬度の点で優れている。
【００４０】
次に、本発明者は、１２−ヒドロキシステアリン酸を配合した枠練り石鹸は起泡力を阻害するため、優れた外観を維持しつつ、起泡力を向上できないかと検討した。
【００４１】
【表２】
0005919578.tif 000005
【００４２】
（＊６）：ニッサンアノンＢＬ−ＳＦ（日油社製）
ラウリルジメチルアミノ酢酸ベタイン３０％溶液
（＊７）：レボン２０００ＳＦ（三洋化成工業社製）
ヤシ油脂肪酸アミドプロピルベタイン３０％溶液
【００４３】
これらの試験結果より、アルキルベタイン型両性界面活性剤であるラウリルジメチルアミノ酢酸ベタインを配合すると、起泡力を向上させることがわかった。また、ヤシ油脂肪酸アミドジメチルアミノ酢酸ベタイン液の配合量が４．０質量％以上で、枠練り固形石鹸に、白い結晶が見られた。
【００４４】
次に、本発明者は、ＰＥＧ（６０）水添ヒマシ油の配合量について検討した。
【００４５】
【表３】
0005919578.tif 000006
【００４６】
ＰＥＧ（６０）水添ヒマシ油は、配合量が２．０質量％以下で、粘結性が低下し（試験例３−２）、さらに、配合しないと、粘結性が著しく低下し、切断不良となってしまう（試験例３−１）。
したがって、粘結性を有する石鹸を得るためには、ＰＥＧ（６０）水添ヒマシ油が必要である。
一方で、配合量が１５．０質量％以上となると、枠練り石鹸の外観に白い結晶が現れてしまう。
よって、ＰＥＧ（６０）水添ヒマシ油の配合量は、４〜１４質量％が好ましい。
【００４７】
さらに、ＰＥＧ（６０）水添ヒマシ油の配合量が、６質量％未満で、起泡力がやや低下してしまう（試験例３−１〜３−４）ことが分かった。
したがって、粘結性、外観、起泡力のすべてに優れている枠練り石鹸が得られるのは、ＰＥＧ（６０）水添ヒマシ油の配合量が、６〜１４質量％であることがわかる。
【００４８】
【表４】
0005919578.tif 000007
【００４９】
これらの試験結果より、（Ｂ）成分の配合量は、８．５〜１０質量％であると、適度な石鹸硬度が得られ、外観、起泡力に優れた枠練り石鹸が得られることが分かった。
【００５０】
さらに、本発明者は、保湿剤であるポリエチレングリコール１５４０や糖類等の配合量について検討した。
【００５１】
【表５】
0005919578.tif 000008
【００５２】
これらの試験結果より、グラニュー糖・ソルビトール混合物の配合量が１２．０質量％以上となると、枠練り石鹸の熟成終了時に表面に糖の結晶が析出してしまうことがわかった。
【００５３】
次に、本発明者らは、常温で液体の保湿剤の配合について検討した。
【表６】
0005919578.tif 000009
【００５４】
表６より、常温で固体の保湿剤（ポリエチレングリコール１５４０）を常温で液体の保湿剤（濃グリセリン）に置換すると、配合量が増加するにつれ、硬度が下がることがわかった（試験例６−４）。
【００５５】
以上のことから、常温で液体の保湿剤の配合量は、５質量％以下が好ましく、０〜３質量％がより好ましい。
また、より優れた粘結性を得るためには、保湿剤の配合量の合計は、枠練り石鹸全量中  １５〜３０質量％が好ましく、２０〜２７％がより好ましい。
【００５６】
本発明者は、（Ｃ）成分であるＰＥＧ（６０）水添ヒマシ油を、その他の非イオン性界面活性剤に置き換えて、枠練りイセチオン酸系石鹸を作製できるか検討した。
【００５７】
【表７】
0005919578.tif 000010
【００５８】
（＊８）：ペグノールS-4DV（東邦化学社製）
（＊９）：グルカメートDOE-120（日本ルーブリゾール社製）
（＊１０）：KF-6011（信越化学工業社製）
（＊１１）：セオドールE-2020（日本エマルジョン社製）
（＊１２）：ニッコールBB-20（日本サーファクタント工業社製）
（＊１３）：DKエステルS-160N（第一工業製薬社製）
（＊１４）：ニューポールDDE-10（三洋化成工業社製）
（＊１５）：エマレックスBHA-10（日本エマルジョン社製）
（＊１６）：プランタケア２０００UP（BASFジャパン社製）
（＊１７）：ＰＥＧ４０００S（三洋化成社製）
（＊１８）：ニッサンベヘニン酸  NAA-222S（日油社製）
【００５９】
これらの試験結果より、その他の非イオン性界面活性剤を配合しても、型崩れやサクサク感が解消されず、粘りのある硬さのある枠練り石鹸は得られなかった。したがって、アシルイセチオン酸ナトリウムを配合した枠練り石鹸を得るには、非イオン性界面活性剤としては、（Ｃ）成分が必須であることがわかった。
【００６０】
次に、（Ｃ）ポリオキシエチレン硬化ヒマシ油のオキシエチレン基の平均付加モル数について検討を行った。
【００６１】
【表８】
0005919578.tif 000011
【００６２】
（＊１９）：パイオニン  D-230-KZ（竹本油脂社製）
（＊２０）：ニッコール  HCO-100（日本サーファクタント工業社製）
【００６３】
表８より、（Ｃ）ポリオキシエチレン硬化ヒマシ油のオキシエチレン基の平均付加モル数が高い方が硬度は上がるが、粘結性がやや減少した。しかし、製品としては問題ないレベルであった。また、オキシエチレン基の平均付加モル数が低くなると硬度は低下するが、製品としては問題ないレベルであった。
これらの本発明者らの検討の結果、（Ｃ）ポリオキシエチレン硬化ヒマシ油非イオン性界面活性剤が、オキシエチレン基の平均付加モル数が３０〜１００のポリオキシエチレン硬化ヒマシ油であることが好ましい。
【００６４】
次に、本発明にかかる枠練り石鹸のｐＨについて検討した。
【００６５】
【表９】
0005919578.tif 000012
【００６６】
表９より、本発明の枠練り石鹸は、弱酸性石鹸を得ることも可能であることがわかった。しかし、ｐＨ調整剤の配合量を増やし、ｐＨを下げていくと、結晶が析出してしまい、石鹸表面の外観が悪化してしまうことがわかった。
したがって、枠練り石鹸のｐＨを４．０〜７．０に調製することが好ましい。また、より肌に優しいため、枠練り石鹸をｐＨ４．５〜６．０の弱酸性になるように調製することが好ましい。
【要約】
【課題】  べたつきが少なく、起泡力が高く、粘りと硬さに優れた枠練り固形石鹸を提供する。
【解決手段】  （Ａ）アシルイセチオン酸ナトリウム１５〜５０質量％と（Ｂ）１２−ヒドロキシステアリン酸５〜１５質量％と（Ｃ）ポリオキシエチレン硬化ヒマシ油非イオン性界面活性剤１〜２０質量％を含むことを特徴とする枠練り固形石鹸。
【選択図】      なし